【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
境界を接するオブジェクトの何れか一方の輪郭を他方に向けて拡張するトラッピング処理を実行するトラッピング処理手段と、
オブジェクトの境界の濃度が変更される解像度変換処理を実行する解像度変換処理手段と、
前記トラッピング処理手段によるトラッピング処理と前記解像度変換処理手段による解像度変換処理とが、同一の画素に対して行われないように設定する設定手段と、
を有し、
前記トラッピング処理手段および前記解像度変換処理手段は、前記設定手段による設定にしたがって処理を実行することを特徴とする画像処理装置。
【請求項２】
前記トラッピング処理は、注目画素が属するオブジェクトに隣接するオブジェクトに属する参照画素を、注目画素の位置に複製する処理であることを特徴とする請求項１に記載の画像処理装置。
【請求項３】
前記トラッピング処理手段は、注目画素の濃度に基づいて前記トラッピング処理を実行するかを判定する注目画素濃度判定手段と、参照画素の濃度に基づいて前記トラッピング処理を実行するかを判定する参照画素濃度判定手段を有することを特徴とする請求項１または２に記載の画像処理装置。
【請求項４】
前記トラッピング処理手段は、注目画素の属性に基づいて前記トラッピング処理を実行するかを判定する注目画素属性判定手段と、参照画素の属性に基づいて前記トラッピング処理を実行するかを判定する参照画素の属性判定手段を有することを特徴とする請求項１乃至３の何れか１項に記載の画像処理装置。
【請求項５】
前記解像度変換処理手段は、注目画素の周辺画素の濃度の平均値を解像度変換後の画素の濃度とする解像度変換処理を実行することで、オブジェクトの境界の濃度を変更することを特徴とする請求項１乃至４の何れか１項に記載の画像処理装置。
【請求項６】
前記解像度変換処理手段は、注目画素の周辺画素の濃度を重み付平均または単純平均することで前記平均値を求めることを特徴とする請求項５に記載の画像処理装置。
【請求項７】
前記解像度変換処理手段は、解像度変換処理における解像度の変換方法として、注目画素の周辺画素の濃度の平均値を解像度変換後の画素の濃度とする第１の解像度変換処理、注目画素の周辺画素のうちの最大濃度を解像度変換後の画素の濃度とする第２の解像度変換処理、注目画素の濃度を解像度変換後の画素の濃度とする第３の解像度変換処理を有することを特徴とする請求項４乃至６の何れか１項に記載の画像処理装置。
【請求項８】
前記解像度変換処理手段は、注目画素の属性がテキストである場合に前記第１の解像度変換処理を実行し、前記注目画素の属性がグラフィックである場合に前記第２の解像度変換処理を実行し、前記注目画素の属性がイメージである場合に前記第３の解像度変換処理を実行することを特徴とする請求項７に記載の画像処理装置。
【請求項９】
前記設定手段は、注目画素の周辺画素の濃度の平均値を解像度変換後の画素の濃度とする解像度変換処理が実行される画素の属性を有する画素に対して、前記トラッピング処理が実行されないように設定することを特徴とする請求項１乃至８の何れか１項に記載の画像処理装置。
【請求項１０】
前記設定手段は、注目画素の周辺画素の濃度の平均値を解像度変換後の画素の濃度とする解像度変換処理が実行される画素の属性を、前記トラッピング処理が実行されない画素の属性として設定し、
前記トラッピング処理手段は、注目画素の属性および前記設定手段により設定された属性に基づいて、前記トラッピング処理を実行するかを判定することを特徴とする請求項１乃至９の何れか１項に記載の画像処理装置。
【請求項１１】
前記解像度変換処理手段は、注目画素の属性に応じて解像度変換処理の実行条件を選択することを特徴とする請求項１乃至１０の何れか１項に記載の画像処理装置。
【請求項１２】
前記設定手段は、ユーザインターフェースを有し、前記ユーザインターフェースを介したユーザ指示に基づいて、前記トラッピング処理手段および前記解像度変換処理手段による各処理の実行を制御するための設定を行うことを特徴とする請求項１乃至１１の何れか１項に記載の画像処理装置。
【請求項１３】
前記設定手段は、前記ユーザインターフェースを介したユーザ指示が、注目画素の周辺画素の濃度の平均値を解像度変換後の画素の濃度とする方法を、前記解像度変換処理における解像度の変換方法として選択する旨である場合、前記ユーザインターフェースに表示される前記トラッピング処理におけるトラッピング適用濃度をグレーアウトさせて選択できないようにすることで、前記トラッピング処理手段によるトラッピング処理と前記解像度変換処理手段による解像度変換処理とが、同一の画素に対して行われないように設定することを特徴とする請求項１２に記載の画像処理装置。
【請求項１４】
前記設定手段は、前記解像度変換処理手段によって注目画素の周辺画素の濃度の平均値を解像度変換後の画素の濃度とする解像度変換処理を行った画素に関連付けたフラグを生成し、
前記トラッピング処理手段は、該フラグの関連付けられた画素に対しては前記トラッピング処理を実行せず、該フラグの関連付けられていない画素に対しては前記トラッピング処理を実行することを特徴とする請求項１乃至１３の何れか１項に記載の画像処理装置。
【請求項１５】
前記注目画素の属性とは、文字属性、グラフィック属性、イメージ属性、細線属性、色属性を含むことを特徴とする請求項３乃至１４の何れか１項に記載の画像処理装置。
【請求項１６】
トラッピング処理手段が、境界を接するオブジェクトの何れか一方の輪郭を他方に向けて拡張するトラッピング処理を実行するトラッピング処理工程と、
解像度変換処理手段が、オブジェクトの境界の濃度が変更される解像度変換処理を実行する解像度変換処理工程と、
設定手段が、前記トラッピング処理工程によるトラッピング処理と前記解像度変換処理工程による解像度変換処理とが、同一の画素に対して行われないように設定する設定工程と、
を有し、
前記トラッピング処理および前記解像度変換処理が前記設定工程での設定にしたがって実行されることを特徴とする画像処理方法。
【請求項１７】
複数のオブジェクトを含む画像データを処理する画像処理装置であって、
前記画像データの解像度を変換する解像度変換処理を実行する解像度変換処理手段と、
境界を接するオブジェクトの何れか一方の輪郭を他方に向けて拡張するトラッピング処理を実行するトラッピング処理手段と、
を有し、
前記トラッピング処理手段は、
前記解像度変換処理手段によって解像度変換後の画像データの画素値を複数の画素値の平均値とする前記解像度変換処理が実行される画素の属性を有するオブジェクトに対して、前記トラッピング処理を実行しないことを特徴とする画像処理装置。
【請求項１８】
複数のオブジェクトを含む画像データを処理する画像処理方法であって、
解像度変換処理手段が、前記画像データの解像度を変換する解像度変換処理を実行する解像度変換処理工程と、
トラッピング処理手段が、境界を接するオブジェクトの何れか一方の輪郭を他方に向けて拡張するトラッピング処理を実行するトラッピング処理工程と、
を有し、
前記トラッピング処理工程は、
前記解像度変換処理工程によって解像度変換後の画像データの画素値を複数の画素値の平均値とする前記解像度変換処理が実行される画素の属性を有するオブジェクトに対して、前記トラッピング処理を実行しないことを特徴とする画像処理方法。
【請求項１９】
請求項１乃至１５の何れか１項または請求項１７に記載の各手段としてコンピュータを機能させるためのプログラム。
【手続補正２】
【補正対象書類名】明細書
【補正対象項目名】０００９
【補正方法】変更
【補正の内容】
【０００９】
上記目的を達成するために本発明は以下の構成を備える。すなわち、境界を接するオブジェクトの何れか一方の輪郭を他方に向けて拡張するトラッピング処理を実行するトラッピング処理手段と、オブジェクトの境界の濃度が変更される解像度変換処理を実行する解像度変換処理手段と、前記トラッピング処理手段によるトラッピング処理と前記解像度変換処理手段による解像度変換処理とが、同一の画素に対して行われないように設定する設定手段と、を有し、前記トラッピング処理手段および前記解像度変換処理手段は、前記設定手段による設定にしたがって処理を実行する。また他の側面によれば本発明は以下の構成を備える。すなわち、複数のオブジェクトを含む画像データを処理する画像処理装置であって、前記画像データの解像度を変換する解像度変換処理を実行する解像度変換処理手段と、境界を接するオブジェクトの何れか一方の輪郭を他方に向けて拡張するトラッピング処理を実行するトラッピング処理手段と、を有し、前記トラッピング処理手段は、前記解像度変換処理手段によって解像度変換後の画像データの画素値を複数の画素値の平均値とする前記解像度変換処理が実行される画素の属性を有するオブジェクトに対して、前記トラッピング処理を実行しない。
【手続補正３】
【補正対象書類名】明細書
【補正対象項目名】発明の名称
【補正方法】変更
【補正の内容】
【発明の名称】画像処理装置、画像処理方法、プログラム